(57)【要約】【課題】従来の杖は握りこんで持つことを前提としている。本発明では、強く握らなくてもグリップを持つことができ、手首等への負担を少なくできる杖を提供することを目的とする。【解決手段】杖のグリップ１１が、支柱２１の軸に沿って該支柱２１に取り付ける垂下部分１４と、支柱２１の中心軸より前後に張り出した前部分１３及び後部分１２を備える。後部分１２の上下方向厚み（Ｇ）が３５〜５０mmであり、支柱２１の中心軸から前方へ距離１０mmの位置における前部分１３の左右方向幅（Ｅ）が１５〜２５mmである。【選択図】図２
2010246728.tif 000002
【特許請求の範囲】
【請求項１】
支柱及びグリップを備えた杖において、
前記グリップは、前記支柱の軸に沿って該支柱に取り付ける垂下部分と、前記支柱の中心軸より前後に張り出した前部分及び後部分とを備え、
前記グリップの各部の比率として、
前記後部分の上下方向厚み（Ｇ）が３５〜５０であり、
前記支柱の中心軸から前方へ距離１０の位置における前記前部分の左右方向幅（Ｅ）が１５〜２５であることを特徴とする杖。
【請求項２】
前記後部分は、その少なくとも後側１／３の箇所における下面が、粘着性を備える請求項１に記載の杖。
【請求項３】
前記後部分は、その平面視が、グリップ前後方向を長軸とする楕円形をしており、左右の側面視及び背面視が、前記楕円形の中心を最頂点とする円弧状隆起を呈し、
前記グリップの各部の比率として、
前記支柱の中心軸から前記後部分の最頂点までの水平長さ（Ａ）が３０〜４０、前記支柱の中心軸から前記後部分の後端までの長さ（Ｂ）が６０〜８０、前記楕円形の短軸の幅（Ｃ）が４５〜５５、前記楕円形における前記長軸に沿う円弧の曲率半径（Ｄ）が５５〜７０、前記短軸に沿う円弧の曲率半径（Ｈ）が２５〜３０である請求項１または２に記載の杖。
【請求項４】
前記グリップの各部の比率として、
前記垂下部分は、前記後部分の最頂点から下へ距離７０の位置における径（Ｆ）が１０〜２０である請求項１〜３のいずれか１項に記載の杖。
【請求項５】
前記杖における杖先は、前記支柱の径よりも広い接地部を備えてなり、
該接地部は、
前記支柱に繋がる中心部と、
該中心部よりも外側に位置し、弾性変形可能な内周部と、
該内周部よりも外側に位置し、該内周部よりも硬質の外周部を備える請求項１〜４のいずれか１項に記載の杖。
【発明の詳細な説明】
【技術分野】
【０００１】
本発明は、専ら歩行を補助する目的で用いる杖に関し、特に手首への負担の低減を図った杖に関するものである。
【背景技術】
【０００２】
リュウマチや脳梗塞等の疾病、また加齢にともなう膝関節障害等によって歩行が困難となる場合がある。この様な場合には歩行を安定させる目的で杖が用いられる。
【０００３】
通常の歩行では足のみの２箇所で身体を支えるが、杖を使用することにより３箇所となり、広範に身体を支持することができるので、歩行が安定する。また杖に或る程度体重を預けることで足への荷重を軽くすることもでき、疾患側の負担を軽減できる。
【０００４】
杖は、支柱の上端にグリップ、下端にゴム等の杖先を取り付けた構造のものが一般的である。
【０００５】
グリップの形状としては、Ｔ字状、Ｌ字状のものの他、手掌を広く支持するようにした幅広タイプのものがある。
【０００６】
古くはグリップを木材で構成しており、硬く滑り易いものであったが、最近では芯部を硬質材料で構成し、これに摩擦係数の高い軟質材料を被覆したものが提案されている（例えば特許文献１，２）。このグリップは、使用者が握ることで上記被覆層が弾性変形し、グリップを指に密着させて持つことができ、またグリップから手が滑り難い。
【０００７】
なお先行技術文献である下記特許文献３に関しては後述する。
【先行技術文献】
【特許文献】
【０００８】
【特許文献１】特開２００８−６７７９６号公報
【特許文献２】特開平１０−２２５３１３号公報
【特許文献３】特開２０００−１１６７３８号公報
【発明の概要】
【発明が解決しようとする課題】
【０００９】
従来の杖はいずれもグリップを握りこんで使用することを前提としたものであるが、リュウマチ等の患者においては、握力が非常に低下しており、確りと杖を握りこむことが困難である。またリュウマチではない使用者においても、グリップを強く握ると、手首、肘、肩に力が入り、この様に固まった状態で杖を突くと、手首等の関節を痛める懸念がある。
【００１０】
本発明はこのような事情に着目してなされたものであって、その目的は、強く握らなくてもグリップを持つことができ、手首等への負担を少なくできる杖を提供することにある。
【課題を解決するための手段】
【００１１】
上述の様に従来の杖はグリップを握りこんで使用することを前提としているが、本発明者らは、能動的に握るという動作を行わなくても持つことのできる杖の開発を試み、本発明に至った。
【００１２】
この本発明に係る杖は、支柱及びグリップを備えた杖であって、前記グリップが、前記支柱の軸に沿って該支柱に取り付ける垂下部分と、前記支柱の中心軸より前後に張り出した前部分及び後部分とを備え、前記グリップの各部の比率として、前記後部分の上下方向厚み（Ｇ）が３５〜５０であり、前記支柱の中心軸から前方へ距離１０の位置における前記前部分の左右方向幅（Ｅ）が１５〜２５であることを特徴とする。即ち各部の比率として、「Ｇ」：「支柱の中心軸から前方への距離」：「Ｅ」＝３５〜５０：１０：１５〜２５となる形状である。
【００１３】
なおグリップの各部の具体的な大きさは、使用者の手の大きさによって異なるが、使用者が大人の場合は、前記後部分の上下方向厚み（Ｇ）が３５〜５０mmであり、前記支柱の中心軸から前方へ距離１０mmの位置における前記前部分の左右方向幅（Ｅ）が１５〜２５mmである。使用者が大人の場合に好ましくは、Ｇが４０〜４５mm、Ｅが１５〜２０mmである。使用者が子供の場合は、手の大きさに応じて上記の比率で構成すると良い。
【００１４】
人の手は、力を入れていない自然な状態（以下、「自然状態」と称することがある）では、各々の指の関節が少し曲がると共に、親指と人差し指の間をＣ字状に少し開いた状態となる。
【００１５】
本発明では、歩行に際してこの様な自然状態の手でグリップを持つようにしても、違和感なく使用できる。つまり自然状態の手でグリップを持つ場合は、グリップを指に引っ掛けるだけとなる。従って歩行において杖を振り出すときは、手掌とグリップ上面とに間隙を生じる。そして杖を突いているときは、手掌がグリップ上面に当たる（接触する）状態となるので、この突いている状態と上記振り出す状態とで、手掌とグリップ上面との位置関係に落差を生じる。この点について本発明では上記Ｇが厚いので、この落差が小さく、よって違和感なく使用できる。
【００１６】
また本発明では、たとえ自然状態の手でグリップを持つようにしても、後部分の上下方向厚み（Ｇ）が上記の通り十分に厚いので、手とグリップの接触範囲が広くなり、グリップを持っているという感触を手に与えることができる。
【００１７】
この様に本発明ではたとえ自然状態の手で持つようにしても、グリップを持っている感触があり、また歩行時に違和感なく使用できる。
【００１８】
従って本発明の杖によれば、力を入れずにゆったりと持つことができるので、強く握ることによる手首等への負担を軽減できる。また握力が弱まった人も使用可能である。
【００１９】
更にグリップの後部分において、その少なくとも後側１／３の箇所における下面は、粘着性を備えていることが好ましい。
【００２０】
自然状態の手でグリップを持って振り出した際には、専ら小指にグリップが引っ掛かった状態となる。よって小指が当接する箇所のグリップ表面が粘着性であると、滑り難く、杖が手から落ち難い。従って上記の通り後部分の少なくとも後側１／３の箇所における下面を粘着性とすることが好ましい。より好ましくは、後部分の下面全体が粘着性であることである。
【００２１】
また本発明において、グリップの後部分は、その平面視が、グリップ前後方向を長軸とする楕円形をしており、左右の側面視及び背面視が、前記楕円形の中心を最頂点とする円弧状隆起を呈し、前記グリップの各部の比率として、前記支柱の中心軸から前記後部分の最頂点までの水平長さ（Ａ）が３０〜４０、前記支柱の中心軸から前記後部分の後端までの長さ（Ｂ）が６０〜８０、前記楕円形の短軸の幅（Ｃ）が４５〜５５、前記楕円形における前記長軸に沿う円弧の曲率半径（Ｄ）が５５〜７０、前記短軸に沿う円弧の曲率半径（Ｈ）が２５〜３０であることが好ましい。即ち各部の比率として、「Ｇ」：「支柱の中心軸から前方への距離」：「Ｅ」：「Ａ」：「Ｂ」：「Ｃ」：「Ｄ」：「Ｈ」＝３５〜５０：１０：１５〜２５：３０〜４０：６０〜８０：４５〜５５：５５〜７０：２５〜３０となる形状であることが好ましい。
【００２２】
なお使用者が大人の場合は、前記支柱の中心軸から前記後部分の最頂点までの水平長さ（Ａ）が３０〜４０mm、前記支柱の中心軸から前記後部分の後端までの長さ（Ｂ）が６０〜８０mm、前記楕円形の短軸の幅（Ｃ）が４５〜５５mm、前記楕円形における前記長軸に沿う円弧の曲率半径（Ｄ）が５５〜７０mm、前記短軸に沿う円弧の曲率半径（Ｈ）が２５〜３０mmであることが好ましい。使用者が大人の場合に、より好ましくは、Ａが３０〜３５mm、Ｂが６０〜６５mm、Ｃが４５〜５０mm、Ｄが６０〜６５mm、Ｈが２５〜２８mmである。
【００２３】
グリップの後部分が上記の様な形及びサイズ割合で構成されていると、手掌の凹みが上記後部分にすっぽりと収まるようになる。この収まった状態で、手首の関節中心から杖の支柱の中心軸までの距離（以下、手首−力点距離と称することがある）が、手首に負担をかけず且つ杖をコントロールしやすい適度な距離となる。例えば使用者が大人の男性の場合にはこの距離が３０mm程度となり、この距離であれば、人差し指と中指の間から橈骨遠位端付近を荷重の作用線が通る形となって、手首への負担が少ない。
【００２４】
ここで、手首−力点距離を適切にする必要性について説明する。
【００２５】
杖のグリップに加わった荷重は、杖の支柱を介して下端の杖先に伝わり、身体を支える。このとき杖における荷重の作用線は支柱の中心軸となる。他方、手に預けた身体の荷重は、手首の関節中心を中心として加わることになる。そして杖の上記作用線から手首の関節中心までが離れていると（即ち手首−力線距離が長いと）、身体を支えるのに大きな力が必要となり、手首への負荷が大きくなる。そしてこの様な使用状態を長期間続けた場合には、手首の炎症を起こす懸念もある。
【００２６】
なお従来の杖の場合は、グリップを握りこんで持つことから、手首−力線距離が長くなりがちである（例えば手首−力線距離が８０mm程度となる）。
【００２７】
一方、従来の杖であっても、持ち方を工夫して（例えば通常とは逆にグリップの短い方を小指側にした持ち方とする）支柱の真上からグリップを握った場合には、手首−力線距離が短くなり、手首への負担が軽減される。しかしあまりにも手首−力線距離が短いと、杖をコントロールし難くなり、安定して杖を突くことが困難となる。
【００２８】
この点において本発明では、グリップの形状に沿って手をあてがうと、上記の通り手掌の凹みにグリップの後部分がすっぽりと収まって、自然に適切な手首−力線距離で杖を持つことができる。その結果、手首等への負担が少なく、且つ杖のコントロールも容易となり、安定して歩行することができる。
【００２９】
更に本発明においては、前記グリップの各部の比率として、前記垂下部分は、前記後部分の最頂点から下へ距離７０の位置における径（Ｆ）が１０〜２０であることが好ましい。即ち各部の比率として、「Ｇ」：「支柱の中心軸から前方への距離」：「Ｅ」：「後部分の最頂点から下への距離」：「Ｆ」＝３５〜５０：１０：１５〜２５：７０：１０〜２０となる形状であることが好ましい。
【００３０】
なお使用者が大人の場合には、前記垂下部分について、前記後部分の最頂点から下へ距離７０mmの位置における径（Ｆ）が１０〜２０mmであることが好ましい。使用者が大人の場合に、より好ましくはＦが１５〜１８mmである。
【００３１】
杖を持つ際には、グリップの上記垂下部分を人差し指と中指で挟む形態となるが、上記の通り上記Ｆが十分に小さいので、人差し指と中指を大きく広げずに、自然に持つことができる。
【００３２】
次に本発明に係る杖における杖先について述べる。
【００３３】
本発明において、杖先は、前記支柱の径よりも広い接地部を備えてなり、該接地部が、前記支柱に繋がる中心部と、該中心部よりも外側に位置し弾性変形可能な内周部と、該内周部よりも外側に位置し該内周部よりも硬質の外周部を備えることが好ましい。
【００３４】
歩行に際して杖を突くとき、杖の軸を鉛直方向に突き出すことは稀であり、通常はまず斜め前方に振り出した杖で斜め方向に地面を突き、身体の移動に伴って鉛直方向、続いて斜め方向に、杖の軸の方向を変化させる。この様に地面への突き始めは斜め方向になるので、杖先は始めその接地面のうちの角部でのみ地面を捉えるにすぎず、地面の状態によっては滑る等して安定性に劣る。またこの角部への摩擦によって杖先が次第に斜めに削れてしまうことにもなる。なお斜めに削れる理由は、グリップの握り方向が一定であるので、地面に当たる杖先の部分も一箇所に定まることになるからである。
【００３５】
そこで、従来では杖先を柔らかなゴム製とし、突いたときに角が撓んで接地面積が広くなるようにしたものや、杖先の胴部分に括れを形成し、突いたときにこの括れで曲がって接地面全体で広く地面を捉えるようにしたもの等が提案されている（例えば前掲の特許文献３参照）。
【００３６】
しかし柔らかくし過ぎる或いは曲がりやすくし過ぎると、杖先がぐらついて杖としての支持性が損なわれる結果となる。そこで硬めにすると、上述の広く地面を捉える効果がなくなり、上記の通り杖の安定性に劣ることとなる。
【００３７】
この点について本発明の杖における杖先では、大きく地面を捉えると共に、杖の支持性も良好である。
【００３８】
つまり上記の通り、中心部よりも外側に位置する内周部が弾性変形可能で、外周部が比較的硬質であるから、杖を斜めに突いたとき、内周部が変形する。そして外周部はほぼ変形しないから、該外周部は内周部の変形によって地面に沿うように向きを変える。こうして外周部の接地面が地面側に向くこととなり、全体として大きく地面を捉えることができ、杖先が滑り難く良好な安定性を示す。
【００３９】
一方、杖先の中心部は、支柱と同軸方向に突き出た状態のまま地面に接地するから、杖の支柱に加わる荷重をしっかりと地面に伝えることができ、良好な支持性を発揮する。
【００４０】
この様に本発明では、杖の支持性を良好に保ちつつ、杖先の外周部の接地面で大きく地面を捉えて良好な安定性を発揮する。
【発明の効果】
【００４１】
本発明に係る杖によれば、強く握らなくてもグリップを持つことができる。従って握力の弱い使用者であっても使用することができる。また軽く握るだけで済む（或いは自然状態の手で持てる）ので、手首等への負担を軽減できる。
【図面の簡単な説明】
【００４２】
【図１】本発明の一実施形態に係る杖の全体を表す側面図である。
【図２】一実施形態の杖におけるグリップを表す図であり、（ａ）は平面図、（ｂ）は側面図、（ｃ）は正面図である。
【図３】一実施形態の杖におけるグリップを表す斜め前方からの斜視図である。
【図４】図２（ａ）に示すＳ−Ｓ線断面図である。
【図５】（ａ）は図２（ａ）に示すＴ−Ｔ線断面図であり、（ｂ）は図２（ａ）に示すＵ−Ｕ線断面図である。
【図６】一実施形態の杖を手で持った様子を表す図である。
【図７】一実施形態の杖における杖先を表す縦断面図である。
【図８】一実施形態の杖における杖先を表す斜視図であり、（ａ）は斜め上方から見た図で、（ｂ）は斜め下方から見た図である。
【図９】一実施形態の杖を地面に斜めに突いた様子を表す杖先付近の縦断面図である。
【発明を実施するための形態】
【００４３】
＜実施形態＞
本発明の一実施形態に係る杖を説明するにあたり、１：本実施形態のグリップの構成について、２：本実施形態のグリップによる杖の使用について、３：本実施形態の杖先の構成について、４：本実施形態の杖先による杖の使用について、以下に順次説明する。
【００４４】
１．本実施形態のグリップの構成について
図１は本発明の一実施形態に係る杖１０の全体を表す側面図である。図２はこの杖１０におけるグリップ１１を表す図であり、（ａ）は平面図、（ｂ）は側面図、（ｃ）は正面図である。図３は、該杖１０におけるグリップ１１を表す斜め前方からの斜視図である。図４は、図２（ａ）に示すＳ−Ｓ線断面図であり、図５の（ａ）は図２（ａ）に示すＴ−Ｔ線断面図であり、（ｂ）は図２（ａ）に示すＵ−Ｕ線断面図である。
【００４５】
図１に示すように、杖１０は、支柱２１の上端にグリップ１１、下端に杖先３１を装着したものである。
【００４６】
図２〜４に示すように、グリップ１１は、支柱２１の軸に沿った垂下部分１４と、支柱２１の中心軸２１ｃより前方に張り出した前部分１３と、中心軸２１ｃより後方に張り出した後部分１２とからなる。
【００４７】
後部分１２は、その平面視が、グリップ前後方向を長軸とする楕円形１２ｆをしている（図２（ａ）に示す二点鎖線参照）。後部分１２の上面１２ａは、上記楕円形１２ｆの中心を最頂点αとして円弧状に隆起している（図２（ｂ），（ｃ））。後部分１２の下面１２ｂは、その側面視が、上面の円弧状にほぼ沿って円弧状に凹んでいる（図２（ｂ））。後部分１２の後端１２ｅ側には通し孔１５が形成されており、紐等を挿通できるようになっている。
【００４８】
上記後部分１２に続く前部分１３は、図２（ａ）に示すように、上記楕円形１２ｆの一方側より連なって一旦細くなり、先端に向かってやや広がっている。また前部分１３は、図２（ｂ）に示すように、後部分１２における円弧状隆起の裾に沿って一旦低くなり、先端に向かってやや上がる形状となっている。
【００４９】
垂下部分１４は中空となっており、この中空部１８に支柱２１の上端部分が挿着され、接着剤等により固定される。後部分１２の最頂点αから下へ距離７０mmの位置（Ｆの位置）において垂下部分１４の径が細くなっている。なお本実施形態では支柱２１の直径が２１mmであり、比較的太い。従って上記Ｆの位置を細く構成するために、支柱２１の先端部分を細く加工すると良い。この際、支柱２１の強度を勘案してその太さ等を設定する。
【００５０】
ここでグリップ１１における各部の長さ等を示す符号について述べる。
Ａ：支柱２１の中心軸２１ｃから後部分１２の最頂点αまでの水平長さ（mm）
Ｂ：支柱２１の中心軸２１ｃから後部分１２の後端１２ｅまでの長さ（なお上記楕円形の長軸の長さに相当）（mm）
Ｃ：後部分１２での楕円形の短軸の幅（なお後部分１２の最大幅となる）（mm）
Ｄ：後部分１２での楕円形における長軸に沿う円弧の曲率半径（mm）
Ｅ：支柱２１の中心軸２１ｃから前方へ距離１０mmの位置における前部分１３の左右方向幅（mm）
Ｆ：後部分１２の最頂点αから下へ距離７０mmの位置における垂下部分１４の径（mm）
Ｇ：後部分１２の上下方向厚み（mm）
Ｈ：後部分１２での楕円形における短軸に沿う円弧の曲率半径（mm）
そして図示例における上記各部の大きさは、
Ａ：３３mm
Ｂ：６５mm
Ｃ：４６mm
Ｄ：６０mm
Ｅ：１８mm
Ｆ：１６mm
Ｇ：４０mm
Ｈ：２７mm
である。なおグリップ１１は左右対称となっており、使用における左右両用である。
【００５１】
グリップ１１は合成樹脂の二色成形により製造される（図４，５）。芯部１７に比較的硬質の樹脂が用いられ（例えばポリカーボネート）、グリップ１１に加えられた荷重を受け止めて支柱２１に伝える。表層部１６には比較的軟質で粘着性の樹脂が用いられ（例えば軟質アクリル、オレフィン系エラストマー）、グリップ１１を持つ手に柔らかく優しい感触を与える。また表面が粘着性となるので滑り難い。なお表層部１６の厚みとしては５mm以上が好ましい。
【００５２】
グリップ１１のショア硬さについてはＡ６０〜Ａ９０（ＪＩＳ  Ｚ  ２２４６ショア硬さ試験−試験方法）であることが好ましい。柔らかい方が除圧効果に優れることから、長時間の使用を考慮すると、柔らかい方が疲れ難い。一方で柔らかすぎると、グリップ１１に加わった荷重を支柱２１に上手く伝えられず、持ち難くなる。これらの点を考慮し、上記の通りのショア硬さが好ましい。なお使用者が子供等である様に杖に加わる荷重が小さい場合には、それに応じてショア硬さを低く設定すると良い。
【００５３】
２．本実施形態のグリップによる杖の使用について
図６は、本実施形態に係る杖１０のグリップ１１を手６０に持った様子を表す図である。手６０は力を入れない自然状態となっており、杖１０を振り出したときの状態を表す。
【００５４】
自然状態では各指の関節が少し曲がった状態となっており、小指６５、薬指６４、中指６３がグリップ１１の後部分１２の下面１２ｂに引っ掛かる。親指６１と人差し指６２は、グリップ１１の前部分１３におけるＥ部分（支柱２１の中心軸２１ｃから前方へ距離１０mmの位置）の付近に位置し（図２を併せて参照）、この付近は狭くなっているので（Ｅ＝１８mm）、自然状態の手で違和感なく挟むことができる。人差し指６２と中指６３の間にはグリップ１１の垂下部分１４が位置し、この垂下部分１４は十分に細くなっているから（Ｆ＝１６mm）、人差し指６２と中指６３で垂下部分１４を違和感なく挟むことができる。
【００５５】
加えてグリップ１１における表面層１６が粘着性樹脂で構成され、グリップ１１表面が粘着性であるので、上記のようにして引っ掛かった指が滑り難い。
【００５６】
杖１０を地面に突いたときは、手掌６６がグリップ１１の後部分１２の上面１２ａに当接して、杖１０に体重の一部を預けることになる。このとき手掌６６の凹みに後部分１２の上面１２ａがすっぽりと収まるようなるので、体重を杖１０に預けやすく、手掌６６で体重を支えることができて手首への負担が軽減される。またグリップ１１の後部分１２の幅が広いので（Ｃ＝４６mm）、圧力が集中せず、手掌６６に殆ど痛みを生じない。
【００５７】
加えて上記の通り手掌６６に後部分１２の上面１２ａが収まった状態で、上記手首−力線距離が自然と適切な長さ（例えば３０mm）となる。従って手首等への負担が少なく、且つ杖のコントロールも容易となる。
【００５８】
自然状態の手とした場合には、上記の杖１０を振り出したときに、手掌６６と後部分１２の上面１２ａとの間に隙間が形成され（図６）、一方杖１０を突いたときにはこの隙間がなくなることとなるが、この落差は小さいので、違和感なく使用できる。
【００５９】
この様に本実施形態の杖１０ではグリップ１１を強く握らなくても、軽く持つだけで済むので、握力の低い使用者も用いることができる。また強く握ると手首、肘、肩に力が入り、この固まった状態で杖を突いた場合には手首等の関節を痛める虞があるが、本実施形態の杖１０のグリップ１１は軽く持つだけで済むことから、手首等の関節を痛めることを回避できる。
【００６０】
更にグリップ１１の表面が粘着性であることから、杖１０を壁等に立てかけたときに滑って倒れるということが起き難い。従って杖１０を一時的に立てかけておくときに便利である。
【００６１】
３：本実施形態の杖先の構成について
図７は、本発明の一実施形態の杖１０における杖先３１を表す縦断面図である。図８の（ａ）は、この杖先３１を斜め上方から見た斜視図で、（ｂ）は、杖先３１を斜め下から見た斜視図である。
【００６２】
杖先３１はゴム製であり、地面に接地する箇所である接地部３６と、支柱２１に接続される接続部３２とからなる。
【００６３】
図７に示すように接続部３２は中空となっており、この中空部３８に支柱２１の下端部分が挿着され、接着剤等により固定される。
【００６４】
接地部３６の直径は、支柱２１の直径よりも広くなっている。接地部３６の中心部３３は円柱状であり、上記接続部３２の延長線上に位置し、支柱２１に繋がっている。中心部３３の外側にはリング状に円周部３４が形成されている。内周部３４は厚みが薄くなっており（図７）、弾性変形可能である。内周部３４の外側にはリング状に外周部３５が形成されている。外周部３５は厚みが厚く、内周部３４と違って変形し難くなっている。
【００６５】
４：本実施形態の杖先による杖の使用について
図９は、本実施形態の杖１０を地面に斜めに突いた様子を表す杖先３１付近の縦断面図である。
【００６６】
杖先３１に圧力が加わっていないときには、図７に示すように、接地部３６の接地面（底面）は支柱２１の中心軸２１ｃに垂直な方向となっている。
【００６７】
杖１０を地面７０に対して斜めに突いたときには、図９に示すように、杖先３１は内周部３４で撓み、外周部３５における接地面３５ａを地面７０に向ける。つまり外周部３５はほぼ変形しないので、外周部３５が全体としてその接地面３５ａを地面７０に向けることとなる。そしてこの様に外周部３５で大きく地面７０を捉えることができるので、杖先３１が滑り難く、良好な安定性を発揮する。
【００６８】
一方、中心部３３は支柱２１の軸方向に沿って突き出したままの状態で地面７０に接地される。従って杖先３１にぐらつきを生じず、支柱２１からの荷重が真っ直ぐに中心部３３を介して地面７０に伝えられることとなる。従って杖の支持性が良好となる。
【００６９】
＜他の実施形態＞
杖におけるグリップに関し、上記実施形態では、図２（ｂ）に示すように、グリップ１１の後端側側面が凹んでいるが、真っ直ぐに垂下した形状や、後側に膨らんだ形状であっても良い。
【００７０】
杖先に関し、上記実施形態では、支柱２１の下端が杖先３１における接続部３２に位置するものを示したが、杖先３１の中心部３３まで支柱２１が延びた構成であっても良い。また図７に示す杖先３１では、接続部３２と接地部３６の間となる胴回りが括れたものを示したが、括れを形成せずに同じ太さで接地部３６に至る形状であっても良い。
【００７１】
以上、本発明に係る杖に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【符号の説明】
【００７２】
１１  グリップ
１２  後部分
１２ａ  上面
１２ｂ  下面
１３  前部分
１４  垂下部分
２１  支柱
３１  杖先
３２  接続部
３３  中心部
３４  内周部
３５  外周部
３６  接地部
【図１】
2010246728.tif 000003
【図２】
2010246728.tif 000004
【図３】
2010246728.tif 000005
【図４】
2010246728.tif 000006
【図５】
2010246728.tif 000007
【図６】
2010246728.tif 000008
【図７】
2010246728.tif 000009
【図８】
2010246728.tif 000010
【図９】
2010246728.tif 000011